(57)【要約】【課題】車載機と携帯端末とを利用して、デジタル放送の画像情報と文字情報とを適切に振り分けて別個の表示部に大きく表示させることが可能な「放送情報表示システム、放送情報表示装置および放送情報の取得方法」を提供する。【解決手段】車載機器１０と携帯型ＤＴＶビューア２０との間で通信を行い、双方におけるデジタル放送の受信環境（例えば、チューナの有無）を確認する。そして、確認した受信環境に応じて、車載機器１０および携帯型ＤＴＶビューア２０のうち一方から他方に画像情報または文字情報を転送して表示させることにより、例えば一方の機器ではデジタル放送を受信できて他方の機器では受信できないということが確認されたときに、受信可能な一方の機器から他方の機器にデジタル放送の画像情報または文字情報が転送されて表示されるようにする。【選択図】        図４
2008099030.tif 000002
【特許請求の範囲】
【請求項１】
第１の表示部を有する第１の通信機器と、第２の表示部を有する第２の通信機器とを備え、上記第１の通信機器および上記第２の通信機器の少なくとも一方にて受信した放送波に含まれる画像情報および文字情報を上記第１の表示部および上記第２の表示部に表示する放送情報表示システムであって、
上記第１の通信機器および上記第２の通信機器の間で通信し、上記第１の通信機器および上記第２の通信機器におけるデジタル放送の受信環境を確認する受信環境確認手段と、
上記受信環境確認手段で確認された受信環境に応じて、上記第１の通信機器および上記第２の通信機器のうち一方の通信機器から他方の通信機器に対してデジタル放送の画像情報または文字情報を転送して表示させるよう制御する表示制御手段とを備えたことを特徴とする放送情報表示システム。
【請求項２】
上記受信環境確認手段は、上記第１の通信機器および上記第２の通信機器におけるデジタル放送受信用のチューナの有無を確認するチューナ有無確認手段で構成され、
上記表示制御手段は、上記チューナ有無確認手段で確認された上記チューナの有無に応じて、上記第１の通信機器および上記第２の通信機器のうち一方の通信機器が備えるチューナで受信したデジタル放送の画像情報または文字情報を他方の通信機器に転送して表示させるよう制御することを特徴とする請求項１に記載の放送情報表示システム。
【請求項３】
上記受信環境確認手段は、上記第１の通信機器および上記第２の通信機器におけるデジタル放送受信用のアンテナの種類を確認するアンテナ確認手段で構成され、
上記表示制御手段は、上記アンテナ確認手段で確認された上記アンテナの種類に応じて、上記第１の通信機器および上記第２の通信機器のうち一方の通信機器から他方の通信機器に対してデジタル放送の画像情報または文字情報を転送して表示させるよう制御することを特徴とする請求項１に記載の放送情報表示システム。
【請求項４】
上記受信環境確認手段は、上記第１の通信機器および上記第２の通信機器におけるデジタル放送の受信感度を確認する受信感度確認手段で構成され、
上記表示制御手段は、上記受信感度確認手段で確認された受信感度に応じて、上記第１の通信機器および上記第２の通信機器のうち一方の通信機器から他方の通信機器に対してデジタル放送の画像情報または文字情報を転送して表示させるよう制御することを特徴とする請求項１に記載の放送情報表示システム。
【請求項５】
放送波に含まれる画像情報および文字情報の少なくとも一方を表示部に表示する放送情報表示装置であって、
無線または有線で接続された他の通信機器との間で通信し、上記他の通信機器および自装置におけるデジタル放送の受信環境を確認する受信環境確認手段と、
上記受信環境確認手段で確認された受信環境に応じて、上記他の通信機器および上記自装置の一方から他方に対してデジタル放送の画像情報または文字情報を転送して表示させるよう制御する表示制御手段とを備えたことを特徴とする放送情報表示装置。
【請求項６】
第１の表示部を有する第１の通信機器と、第２の表示部を有する第２の通信機器とを備え、上記第１の通信機器および上記第２の通信機器の少なくとも一方にて受信した放送波に含まれる画像情報および文字情報を上記第１の表示部および上記第２の表示部に表示する放送情報表示システムにおいて、
上記第１の通信機器および上記第２の通信機器の間で通信し、上記第１の通信機器および上記第２の通信機器におけるデジタル放送の受信環境を確認する第１のステップと、
上記第１のステップで確認された受信環境に応じて、上記第１の通信機器および上記第２の通信機器のうち一方の通信機器から他方の通信機器に対してデジタル放送の画像情報または文字情報を転送するよう制御する第２のステップとを有することを特徴とする放送情報の取得方法。
【発明の詳細な説明】
【技術分野】
【０００１】
本発明は、放送情報表示システム、放送情報表示装置および放送情報の取得方法に関し、特に、画像情報と文字情報とを含む放送サービスをユーザに提供する機能を備えた放送情報表示システムに用いて好適なものである。
【背景技術】
【０００２】
近年、地上波テレビ放送のデジタル化が進められており、２０１１年には全国で地上波デジタル放送が実施され、アナログ波を停波する予定となっている。また、デジタル化と共に多チャンネル化が進み、それに伴い、チャンネル毎に提供される番組情報の内容も多種多様化が進んでいる。かかる多チャンネルのデジタル放送サービスの中には、通常のテレビ番組情報など画像情報を主として提供する放送サービスの他に、ニュースや電子新聞など文字情報を主として提供する放送サービスが存在する。
【０００３】
従来のデジタル放送受信機においては、様々な放送サービスの中からユーザ選択に基づいて受信した放送サービスに係る情報を、当該放送受信機のディスプレイ（表示部）を介してユーザに提供している。このとき、画像情報を主とした放送サービスと文字情報を主とした放送サービスとを同時に提供する場合、従来の技術では、ディスプレイ画面を２つの領域に分割して各々の領域にそれぞれ対応する情報（画像情報、文字情報）を表示していた。
【０００４】
この場合、デジタル放送受信機が家庭用のものであれば、そのディスプレイ画面は比較的大きいため、特に問題は生じない。しかしながら、デジタル放送受信機が車載用のものであれば、そのディスプレイ画面は大きいものでも８インチ程度であり、比較的小さいため、ディスプレイ画面を２分割して表示を行うと、画像も文字も小さくなり、ユーザにとっては見づらい画面となってしまう。つまり、表示された情報に対する視認性が低下するといった問題が生じる。
【０００５】
これに対して、放送情報表示システムにおいて２つの表示部を備え、画像情報と文字情報とを同時にユーザに提供する際に、画像情報と文字情報とを別個の表示部に表示するようにした技術が提供されている（例えば、特許文献１参照）。この特許文献１では、画像情報を提供する放送サービスの選択に係る操作指令があったときに当該画像情報を一方の表示部に転送するよう制御し、文字情報を提供する放送サービスの選択に係る操作指令があったときに当該文字情報を他方の表示部に転送するよう制御する。
【特許文献１】特開２００３−２２８７９４号公報
【発明の開示】
【発明が解決しようとする課題】
【０００６】
上記特許文献１に記載の従来技術は、デジタル放送受信機、ナビゲーション装置およびヘッドユニットを含む車載機システムに関するものであり、これらの接続関係は常に固定的である。これに対して、最近では車載機に対して携帯型の電子機器を着脱自在に接続して使用することができるように成されたものが提供されている。しかしながら、車載機とこれに接続された携帯端末との２つの機器を利用してデジタル放送の画像情報と文字情報とを振り分けて表示する仕組みはまだ提供されていない。
【０００７】
本発明は、このような実情に鑑みて成されたものであり、車載機とこれに接続された携帯端末との２つの機器を利用して、デジタル放送の画像情報と文字情報とを適切に振り分けて別個の表示部に表示させることができるようにすることを目的とする。
【課題を解決するための手段】
【０００８】
上記した課題を解決するために、本発明では、第１の通信機器と第２の通信機器との間で通信を行い、第１の通信機器および第２の通信機器におけるデジタル放送の受信環境を確認する。そして、確認した受信環境に応じて、第１の通信機器および第２の通信機器のうち一方から他方にデジタル放送の画像情報または文字情報を転送して表示させるようにしている。
【発明の効果】
【０００９】
上記のように構成した本発明によれば、第１の通信機器（例えば、車載機）およびこれに接続された第２の通信機器（例えば、携帯端末）におけるデジタル放送の受信環境として、例えば一方の通信機器ではデジタル放送を受信できて他方の通信機器ではデジタル放送を受信できないということが確認されると、一方の通信機器から他方の通信機器にデジタル放送の画像情報または文字情報が転送されて表示されることとなる。
【００１０】
また、例えば一方の通信機器におけるデジタル放送の受信品位が他方の通信機器におけるデジタル放送の受信品位より高いことが確認されると、一方の通信機器から他方の通信機器にデジタル放送の画像情報または文字情報が転送されて表示されることとなる。
【００１１】
これにより、第１の通信機器とこれに接続された第２の通信機器との２つの通信機器を利用して、デジタル放送の画像情報と文字情報とを何れかの機器に適切に振り分けて別個の表示部に大きく表示させることができる。
【発明を実施するための最良の形態】
【００１２】
（第１の実施形態）
以下、本発明の一実施形態を図面に基づいて説明する。図１は、第１の実施形態による放送情報表示システム１００の概略構成例を示す図である。図１に示すように、第１の実施形態による放送情報表示システム１００は、第１の表示部を有する第１の通信機器１０（本発明の放送情報表示装置に相当）と、第２の表示部を有する第２の通信機器２０（本発明の放送情報表示装置に相当）とを備えている。
【００１３】
第１の通信機器１０は、例えば車載機器である。この車載機器１０が備える第１の表示部は、例えば８００×４８０ドットのＷＶＧＡ（Wide Video Graphics Array）サイズを有するものである。第２の通信機器２０は、例えば地上波デジタル放送の放送波を受信するデジタル放送受信機の機能を備えた携帯型ＤＴＶ（Digital Television）ビューアである。この携帯型ＤＴＶビューア２０が備える第２の表示部は、例えば３２０×２４０ドットのＱＶＧＡ（Quarter Video Graphics Array）サイズを有するものである。
【００１４】
車載機器１０と携帯型ＤＴＶビューア２０との間は、例えばＵＳＢ（Universal Serial Bus）等の有線、またはBluetoothやＷｉＦｉ（Wireless Fidelity）等の無線にて接続することが可能であり、相互に情報をやり取りすることができるようになっている。
【００１５】
図２は、車載機器１０の内部構成例を示すブロック図である。図２に示すように、第１の実施形態による車載機器１０は、制御部１３、第１の表示部（ディスプレイ装置）１６、通信部１７およびデータ処理部１９を備えて構成されている。制御部１３、第１の表示部１６、通信部１７およびデータ処理部１９は、互いに協働するように共通の信号線（システムバス１８）を介して接続されており、これによって相互に情報の送受信が行えるようになっている。
【００１６】
図３は、携帯型ＤＴＶビューア２０の内部構成例を示すブロック図である。図３に示すように、第１の実施形態による携帯型ＤＴＶビューア２０は、デジタル放送受信機２１、アンテナ２２、制御部２３、オーディオアンプ２４、スピーカ２５、第２の表示部（ディスプレイ装置）２６および通信部２７を備えて構成されている。デジタル放送受信機２１、制御部２３、第２の表示部２６および通信部２７は、互いに協働するように共通の信号線（システムバス２８）を介して接続されており、これによって相互に情報の送受信が行えるようになっている。
【００１７】
図２において、車載機器１０が備える制御部１３は、マイクロコンピュータ等により構成され、第１の表示部１６、通信部１７およびデータ処理部１９の動作を制御する。制御部１３はその機能構成として、チューナ有無確認部１３ａおよび表示制御部１３ｂを備えている。
【００１８】
チューナ有無確認部１３ａは、通信部１７を通じて携帯型ＤＴＶビューア２０との間で通信し、車載機器１０および携帯型ＤＴＶビューア２０におけるデジタル放送受信用のチューナ（デジタル放送受信機）の有無を確認する。ここでは、車載機器１０にはチューナがなく、携帯型ＤＴＶビューア２０にチューナがあるということを確認する。
【００１９】
表示制御部１３ｂは、チューナ有無確認部１３ａで確認されたチューナの有無に応じて、車載機器１０および携帯型ＤＴＶビューア２０のうち一方が備えるチューナで受信したデジタル放送の画像情報または文字情報を他方に転送して表示させるよう制御する。例えば、表示制御部１３ｂは、画面サイズが大きい第１の表示部１６に画像情報を表示させ、画面サイズが小さい第２の表示部２６に文字情報を表示させるべく、携帯型ＤＴＶビューア２０から画像情報を受信して第２の表示部１６に表示させるよう制御する。
【００２０】
すなわち、表示制御部１３ｂは、チューナ有無確認部１３ａによるチューナの有無の確認結果を受けて、携帯型ＤＴＶビューア２０が備えるチューナで受信したデジタル放送の画像データを車載機器１０に転送するよう携帯型ＤＴＶビューア２０に要求する。この要求に応じて携帯型ＤＴＶビューア２０から通信部１７にて受信される画像データ（復調前のもの）は、データ処理部１９に送られ、ここで復調される。表示制御部１３ｂは、データ処理部１９に対して、復調済みの画像データを第１の表示部１６に転送するよう制御することにより、第１の表示部１６に画像情報を表示させる。
【００２１】
図３において、携帯型ＤＴＶビューア２０が備えるデジタル放送受信機２１は、チューナ部２１ａ、デコード部２１ｂおよびＤ／Ａ変換器２１ｃを備えて構成されている。チューナ部２１ａは、制御部２３からの制御に基づいて、アンテナ２２を介して受信した各チャンネルの放送波の中から、選択されたチャンネルの放送波を受信する機能を有している。
【００２２】
デコード部２１ｂはデコーダＬＳＩにより構成され、基本的には、制御部２３から供給される制御データに基づいて、チューナ部２１ａを通して選択出力されたチャンネルのデジタル信号から画像データ、文字データ、音声データの変調信号成分を分離して取り出し、各データの変調信号成分を復調してデジタルデータとして出力する機能を有している。
【００２３】
Ｄ／Ａ変換器２１ｃは、デコード部２１ｂから出力された復調済みの音声データをアナログの音声信号に変換するためのものである。このＤ／Ａ変換器２１ｃから出力されたアナログの音声信号は、オーディオアンプ２４を通して増幅された後、スピーカ２５を介してユーザに音声情報として受聴される。
【００２４】
制御部２３はマイクロコンピュータ等により構成され、デジタル放送受信機２１、第２の表示部２６および通信部２７の動作を制御する。制御部２３はその機能構成として、チューナ有無通知部２３ａおよび表示制御部２３ｂを備えている。チューナ有無通知部２３ａは、車載機器１０が備えているチューナ有無確認部１３ａからの問い合わせに応答して、チューナの有無を通信部２７を介して車載機器１０に通知する。
【００２５】
表示制御部２３ｂは、デコード部２１ｂに対して、復調済みの文字データを第２の表示部２６に転送するよう制御することにより、文字情報を第２の表示部２６に表示させる。また表示制御部２３ｂは、車載機器１０の表示制御部１３ｂから送られてくる画像データの転送要求に応じて、デコード部２１ｂに対して、復調前の画像データを通信部２７に転送するよう制御することにより、画像データを車載機器１０に転送して第１の表示部１６に表示させる。
【００２６】
以上の説明から明らかなように、第１の実施形態では、車載機器１０および携帯型ＤＴＶビューア２０におけるチューナの有無に応じて、携帯型ＤＴＶビューア２０が備えるチューナ部２１ａで受信した放送波に含まれる画像データを車載機器１０に転送して第１の表示部１６に画像情報を表示させ、携帯型ＤＴＶビューア２０が備えるチューナ部２１ａで受信した放送波に含まれる文字データに基づき第２の表示部２６に文字情報を表示させるよう制御している。
【００２７】
図４は、第１の実施形態による放送情報表示システム１００の動作例を示すフローチャートである。図４において、車載機器１０のチューナ有無確認部１３ａは、通信部１７を通じて携帯型ＤＴＶビューア２０に接続確認の問い合わせを行う（ステップＳ１）。車載機器１０に対して携帯型ＤＴＶビューア２０が有線または無線で接続されていれば、携帯型ＤＴＶビューア２０からそのデバイスＩＤが車載機器１０に返されてくる（ステップＳ２）。チューナ有無確認部１３ａは、このデバイスＩＤを取得することで、車載機器１０に携帯型ＤＴＶビューア２０が接続されていることを認識する（ステップＳ３）。
【００２８】
携帯型ＤＴＶビューア２０の接続を確認したら、チューナ有無確認部１３ａは次に、通信部１７を通じて携帯型ＤＴＶビューア２０にチューナの有無の問い合わせを行う（ステップＳ４）。これに応じて携帯型ＤＴＶビューア２０のチューナ有無通信部２３ａは、携帯型ＤＴＶビューア２０がチューナ部２１ａを備えていることを、通信部２７を通じて車載機器１０に通知する（ステップＳ５）。
【００２９】
チューナ有無確認部１３ａは、携帯型ＤＴＶビューア２０におけるチューナの有無に関する確認結果を表示制御部１３ｂに通知する。この通知を受けた表示制御部１３ｂは、画像データの転送を携帯型ＤＴＶビューア２０に要求する（ステップＳ６）。この要求に応じて携帯型ＤＴＶビューア２０の表示制御部２３ｂは、デコード部２１ｂを制御して、復調前の画像データを通信部２７から車載機器１０に転送する（ステップＳ７）。
【００３０】
車載機器１０に転送された復調前の画像データは、データ処理部１９で復調される。そして、表示制御部１３ｂがデータ処理部１９に対して、復調した画像データを第１の表示部１６に転送するよう制御することにより、第１の表示部１６に画像情報を表示させる（ステップＳ８）。一方、携帯型ＤＴＶビューア２０では、表示制御部２３ｂがデコード部２１ｂに対して、文字データを第２の表示部２６に転送するよう制御することにより、第２の表示部２６に文字情報を表示させる（ステップＳ９）。
【００３１】
以上詳しく説明したように、第１の実施形態では、車載機器１０が通信ホストとなって携帯型ＤＴＶビューア２０におけるチューナの有無を確認する。そして、車載機器１０にはチューナがなく、携帯型ＤＴＶビューア２０にはチューナ部２１ａが備えられているという確認結果に応じて、車載機器１０が携帯型ＤＴＶビューア２０から画像データを受信して第１の表示部１６に画像情報を表示させるとともに、携帯型ＤＴＶビューア２０が第２の表示部２６に文字情報を表示させるようにしている。
【００３２】
これにより、車載機器１０とこれに接続された携帯型ＤＴＶビューア２０との２つの通信機器を利用して、デジタル放送の画像情報と文字情報とを何れかの機器に適切に振り分けて別個の表示部１６，２６に大きく表示させることができる。画像情報と文字情報とが別個の表示部１６，２６に表示されるので、画像情報と文字情報の表示が小さくならず、両情報の視認性を上げることができる。しかも、機器間の通信によって確認されたチューナの有無に応じて、車載機器１０と携帯型ＤＴＶビューア２０どちらで受信した画像情報または文字情報をどちらに転送して表示するかの割り当てが自動的に行われるので、表示情報の割り当てのためにユーザが面倒な操作を行う必要もなく、ユーザの利便性を向上させることができる。
【００３３】
なお、上記第１の実施形態では、携帯型ＤＴＶビューア２０においてデコード前の画像データを車載機器１０に転送する例について説明したが、これに限定されない。例えば、携帯型ＤＴＶビューア２０から車載機器１０に対してデコード済みの画像データを転送するようにしても良い。
【００３４】
また、上記第１の実施形態では、車載機器１０がチューナを備えておらず、携帯型ＤＴＶビューア２０がチューナ部２１ａを備えている場合を例に挙げて説明したが、これに限定されない。例えば、車載機器１０がチューナ（デジタル放送受信機）を備え、携帯型ＤＴＶビューア２０がチューナを備えていない場合にも本発明を適用することが可能である。ただし、この場合は、例えば車載機器１０のチューナで受信したデジタル放送の画像情報を第１の表示部１６に表示させ、文字データを車載機器１０から携帯型ＤＴＶビューア２０に転送して第２の表示部２６に文字情報を表示させる。
【００３５】
（第２の実施形態）
次に、本発明の第２の実施形態を図面に基づいて説明する。図５は、第２の実施形態による放送情報表示システム２００の概略構成例を示す図である。図５に示すように、第２の実施形態による放送情報表示システム２００は、第１の表示部を有する車載機器３０と、第２の表示部を有する携帯型ＤＴＶビューア４０とを備えている。車載機器３０と携帯型ＤＴＶビューア４０との間は、例えばＵＳＢ等の有線、またはBluetoothやＷｉＦｉ等の無線にて接続することが可能であり、相互に情報をやり取りすることができるようになっている。
【００３６】
図６は、車載機器３０の内部構成例を示すブロック図である。なお、この図６において、図２に示した構成要素と同一の機能を有する構成要素には同一の符号を付している。図６に示すように、第２の実施形態による車載機器３０は、デジタル放送受信機１１、アンテナ１２、制御部３３、オーディオアンプ１４、スピーカ１５、第１の表示部１６および通信部１７を備えて構成されている。デジタル放送受信機１１、制御部３３、第１の表示部１６および通信部１７は、互いに協働するように共通のシステムバス１８を介して接続されており、相互に情報の送受信が行えるようになっている。
【００３７】
図７は、携帯型ＤＴＶビューア４０の内部構成例を示すブロック図である。なお、この図７において、図３に示した符号と同一の符号を付したものは同一の機能を有するものであるので、ここでは重複する説明を省略する。図７に示すように、第２の実施形態による携帯型ＤＴＶビューア４０は、デジタル放送受信機２１、アンテナ２２、制御部４３、オーディオアンプ２４、スピーカ２５、第２の表示部２６および通信部２７を備えて構成されている。デジタル放送受信機２１、制御部４３、第２の表示部２６および通信部２７は、互いに協働するように共通のシステムバス２８を介して接続されており、これによって相互に情報の送受信が行えるようになっている。
【００３８】
図６において、車載機器１０が備えるデジタル放送受信機１１は、チューナ部１１ａ、デコード部１１ｂおよびＤ／Ａ変換器１１ｃを備えて構成されている。チューナ部１１ａは、制御部３３からの制御に基づいて、アンテナ１２を介して受信した各チャンネルの放送波の中から、選択されたチャンネルの放送波を受信する機能を有している。
【００３９】
デコード部１１ｂはデコーダＬＳＩにより構成され、基本的には、制御部３３から供給される制御データに基づいて、チューナ部１１ａを通して選択出力されたチャンネルのデジタル信号から画像データ、文字データ、音声データの変調信号成分を分離して取り出し、各データの変調信号成分を復調してデジタルデータとして出力する機能を有している。
【００４０】
Ｄ／Ａ変換器１１ｃは、デコード部１１ｂから出力された復調済みの音声データをアナログの音声信号に変換するためのものである。このＤ／Ａ変換器１１ｃから出力されたアナログの音声信号は、オーディオアンプ１４を通して増幅された後、スピーカ１５を介してユーザに音声情報として受聴される。
【００４１】
制御部３３はマイクロコンピュータ等により構成され、デジタル放送受信機１１、第１の表示部１６および通信部１７の動作を制御する。制御部３３はその機能構成として、受信感度確認部３３ａおよび表示制御部３３ｂを備えている。受信感度確認部３３ａは、通信部１７を通じて携帯型ＤＴＶビューア４０との間で通信し、車載機器３０および携帯型ＤＴＶビューア４０におけるデジタル放送の受信感度を確認する。この受信感度は、例えばＢＥＲ（Bit Error Rate）の値により確認することができる。
【００４２】
表示制御部３３ｂは、受信感度確認部３３ａで確認された受信感度に応じて、車載機器３０および携帯型ＤＴＶビューア４０の一方から他方に対してデジタル放送の画像情報または文字情報を転送して表示させるよう制御する。ここで表示制御部１３ｂは、画面サイズが大きい第１の表示部１６に画像情報を表示させ、画面サイズが小さい第２の表示部２６に文字情報を表示させるように制御する。
【００４３】
例えば、車載機器３０の方が携帯型ＤＴＶビューア４０より受信感度が良いことが確認された場合、車載機器４０のチューナ部１１ａで受信したデジタル放送の画像データに基づき画像情報を第１の表示部１６に表示させ、同じくチューナ部１１ａで受信したデジタル放送の文字データを携帯型ＤＴＶビューア４０に転送して第２の表示部２６に文字情報を表示させる。
【００４４】
すなわち、表示制御部３３ｂは、車載機器３０の方が携帯型ＤＴＶビューア４０より受信感度が良いという確認結果を受けて、デコード部１１ｂに対して、復調済みの画像データを第１の表示部１６に転送するよう制御する。また表示制御部３３ｃは、文字データを通信部１７に転送するようにデコード部１１ｂを制御するとともに、車載機器３０から転送される文字データに基づき文字情報を第４の表示部２６に表示させることを指示するためのコマンドを、通信部１７を通じて携帯型ＤＴＶビューア２０に送信する。
【００４５】
一方、携帯型ＤＴＶビューア４０の方が車載機器３０より受信感度が良いことが確認された場合、携帯型ＤＴＶビューア４０のチューナ部２１ａで受信したデジタル放送の画像データを車載機器３０に転送して第１の表示部１６に画像情報を表示させ、同じくチューナ部２１ａで受信したデジタル放送の文字データに基づき文字情報を第２の表示部２６に表示させる。
【００４６】
すなわち、表示制御部３３ｂは、携帯型ＤＴＶビューア４０の方が車載機器３０より受信感度が良いという確認結果を受けて、携帯型ＤＴＶビューア４０が備えるチューナ部２１ａで受信したデジタル放送の画像データを車載機器３０に転送するよう携帯型ＤＴＶビューア２０に要求する。この要求に応じて携帯型ＤＴＶビューア４０から通信部１７を介して受信される変調前の画像データは、デコード部１１ｂに送られ、ここで復調される。表示制御部３３ｂは、復調済みの画像データを第１の表示部１６に転送するようデコード部１１ｂを制御することにより、第１の表示部１６に画像情報を表示させる。
【００４７】
また、表示制御部３３ｂは、携帯型ＤＴＶビューア４０のチューナ部２１ａで受信したデジタル放送の文字データを使用して第２の表示部２６に文字情報を表示させることを指示するためのコマンドを、通信部１７を通じて携帯型ＤＴＶビューア４０に送信する。これにより、チューナ部２１ａで受信したデジタル放送の文字データに基づき文字情報を第２の表示部２６に表示させる。
【００４８】
図７において、携帯型ＤＴＶビューア４０が備える制御部４３はマイクロコンピュータ等により構成され、デジタル放送受信機２１、第１の表示部２６および通信部２７の動作を制御する。制御部４３はその機能構成として、受信感度通知部４３ａおよび表示制御部４３ｂを備えている。
【００４９】
受信感度通知部４３ａは、車載機器３０が備えている受信感度確認部３３ａからの問い合わせに応答して、携帯型ＤＴＶビューア４０におけるデジタル放送の受信感度を、通信部２７を介して車載機器３０に通知する。表示制御部４３ｂは、受信感度通知部４３ａが携帯型ＤＴＶビューア４０におけるデジタル放送の受信感度を車載機器３０に通知したことに応答して車載機器３０から送られてくるコマンドに従って、第２の表示部２６に文字情報を表示させる。
【００５０】
すなわち、車載機器３０に通知した携帯型ＤＴＶビューア４０の受信感度が車載機器３０の受信感度より低かった場合、車載機器３０から復調前の文字データが転送されてくるとともに、当該転送されてきた文字データに基づき文字情報を第２の表示部２６に表示させることを指示するためのコマンドが送られてくる。車載機器３０から転送されてきた変調前の文字データは、デコード部２１ｂに送られ、ここで復調される。表示制御部４３ｂは、車載機器３０からのコマンドに従って、復調済みの文字データを第２の表示部２６に転送するようデコード部２１ｂ制御することにより、第２の表示部２６に文字情報を表示させる。
【００５１】
一方、車載機器１０に通知した携帯型ＤＴＶビューア２０の受信感度が車載機器１０の受信感度より高かった場合、携帯型ＤＴＶビューア２０のチューナ部２１ａで受信したデジタル放送の文字データを使用して第２の表示部２６に文字情報を表示させることを指示するためのコマンドが車載機器１０から送られてくる。表示制御部４３ｂは、このコマンドに従って、デコード部２１ｂに対して文字データを第２の表示部２６に転送するよう制御することにより、第２の表示部２６に文字情報を表示させる。
【００５２】
以上の説明から明らかなように、第２の実施形態では、車載機器３０が備えるチューナ部１１ａの受信感度と携帯型ＤＴＶビューア４０が備えるチューナ部２１ａの受信感度とを確認し、受信感度の良い方のチューナ部で受信した画像データまたは文字データを他方に転送することにより、画像情報を第１の表示部１６に表示させるとともに、文字情報を第２の表示部２６に表示させるようにしている。
【００５３】
図８は、第２の実施形態による放送情報表示システム２００の動作例を示すフローチャートである。図８において、車載機器３０の受信感度確認部３３ａは、通信部１７を通じて携帯型ＤＴＶビューア４０に接続確認の問い合わせを行う（ステップＳ１１）。車載機器３０に対して携帯型ＤＴＶビューア４０が有線または無線で接続されていれば、携帯型ＤＴＶビューア４０からそのデバイスＩＤが車載機器３０に返されてくる（ステップＳ１２）。受信感度確認部３３ａは、このデバイスＩＤを取得することで、車載機器３０に携帯型ＤＴＶビューア４０が接続されていることを認識する（ステップＳ１３）。
【００５４】
携帯型ＤＴＶビューア４０の接続を確認したら、受信感度確認部３３ａは、通信部１７を通じて携帯型ＤＴＶビューア４０に受信感度の問い合わせを行う（ステップＳ１４）。これに応じて携帯型ＤＴＶビューア４０の受信感度通信部４３ａは、携帯型ＤＴＶビューア４０が備えるチューナ部２１ａの受信感度を、通信部２７を通じて車載機器３０に通知する（ステップＳ１５）。
【００５５】
受信感度確認部３３ａは、チューナ部２１ａの受信感度に関する確認結果を表示制御部３３ｂに通知する。受信感度確認部３３ａはまた、車載機器３０が備えるチューナ部１１ａの受信感度も確認し、その確認結果を表示制御部３３ｂに通知する。これらの通知を受けた表示制御部３３ｂは、車載機器３０と携帯型ＤＴＶビューア４０のどちらの方が受信感度がよいかを比較し、その結果に応じて、チューナ部１１ａ，２１ａのどちらで受信した情報を採用するかを判定する（ステップＳ１６）。
【００５６】
ここで、車載機器３０の方が携帯型ＤＴＶビューア４０より受信感度が良い場合は、チューナ部１１ａで受信した情報を採用する。この場合は、チューナ部１１ａで受信した画像データに基づき第１の表示部１６に画像情報を表示させ、チューナ部１１ａで受信した文字データを携帯型ＤＴＶビューア４０に転送して第２の表示部２６に文字情報を表示させる。
【００５７】
また、携帯型ＤＴＶビューア４０の方が車載機器３０より受信感度が良い場合は、チューナ部２１ａで受信した情報を採用する。この場合は、チューナ部２１ａで受信した画像データを車載機器３０に転送して第１の表示部１６に画像情報を表示させ、チューナ部２１ａで受信した文字データに基づきを第２の表示部２６に文字情報を表示させる。図８のフローチャートは、こちらのケースを図示している。
【００５８】
すなわち、表示制御部３３ｂは、携帯型ＤＴＶビューア４０の方が車載機器３０より受信感度が良いとの確認結果を受けて、画像データの転送を携帯型ＤＴＶビューア４０に要求する（ステップＳ１７）。この要求に応じて携帯型ＤＴＶビューア４０の表示制御部４３ｂは、デコード部２１ｂを制御して、復調前の画像データを通信部２７から車載機器３０に転送する（ステップＳ１８）。
【００５９】
車載機器３０に転送された復調前の画像データは、デコード部１１ｂで復調される。そして、表示制御部３３ｂがデコード部１１ｂに対して、復調した画像データを第１の表示部１６に転送するよう制御することにより、第１の表示部１６に画像情報を表示させる（ステップＳ１９）。一方、携帯型ＤＴＶビューア４０では、表示制御部４３ｂがデコード部２１ｂに対して、文字データを第２の表示部２６に転送するよう制御することにより、第２の表示部２６に文字情報を表示させる（ステップＳ２０）。
【００６０】
以上詳しく説明したように、第２の実施形態では、車載機器３０が通信ホストとなって車載機器３０および携帯型ＤＴＶビューア４０のチューナ部１１ａ，２１ａの受信感度を確認する。そして、受信感度が良い方から悪い方に画像データまたは文字データを転送し、第１の表示部１６に画像情報を表示させるとともに、第２の表示部２６に文字情報を表示させるようにしている。
【００６１】
これにより、車載機器３０とこれに接続された携帯型ＤＴＶビューア４０との２つの通信機器を利用して、デジタル放送の画像情報と文字情報とを何れかの機器に適切に振り分けて別個の表示部１６，２６に大きく表示させることができ、画像情報と文字情報の視認性を上げることができる。しかも、表示情報の割り当てのためにユーザが面倒な操作を行う必要もなく、ユーザの利便性を向上させることができる。また、第２の実施形態では、受信感度が良い方の画像情報と文字情報とを使って表示を行うので、表示する情報の品質を上げることができる。
【００６２】
なお、上記第２の実施形態では、車載機器３０と携帯型ＤＴＶビューア２０との間でデコード前の画像データおよび文字データを転送する例について説明したが、これに限定されない。例えば、デコード済みの画像データおよび文字データを転送するようにしても良い。
【００６３】
また、上記第２の実施形態では、受信感度の確認を車載機器３０で行い、その結果に応じて、携帯型ＤＴＶビューア４０が車載機器３０から所定のコマンドを受けて動作する例について説明したが、これに限定されない。例えば、車載機器３０および携帯型ＤＴＶビューア４０が受信感度を相互に確認し、その結果に応じて車載機器３０および携帯型ＤＴＶビューア４０がそれぞれ独自に制御を行うようにしても良い。
【００６４】
すなわち、車載機器３０の受信感度確認部３３ａにおいて、車載機器３０および携帯型ＤＴＶビューア４０の受信感度を確認し、どちらの受信感度がより高いかによって、自身のチューナ部１１ａで受信した情報を表示に使用するか否かを独自に決定する。また、携帯型ＤＴＶビューア４０にも受信感度確認部を設け、車載機器３０および携帯型ＤＴＶビューア４０の受信感度を確認する。そして、どちらの受信感度がより高いかによって、自身のチューナ部２１ａで受信した情報を表示に使用するか否かを独自に決定する。
【００６５】
また、上記第２の実施形態では、接続確認の後に受信感度の確認を行う例について説明したが、これに限定されない。例えば、定期的に受信感度の確認を行い、その結果に応じて、車載機器３０と携帯型ＤＴＶビューア４０のどちらで受信した情報を採用するかをその都度決定するようにしても良い。このようにすれば、車両の移動等に伴い受信感度が変化しても、常に良好な品質で画像情報や文字情報を表示させることができる。
【００６６】
また、上記第２の実施形態では、車載機器３０および携帯型ＤＴＶビューア４０の受信感度を測定してこれを確認する例について説明したが、これに限定されない。例えば、車載機器３０および携帯型ＤＴＶビューア４０におけるデジタル放送受信用のアンテナの種類を確認し、当該確認したアンテナの種類に応じて、車載機器３０および携帯型ＤＴＶビューア４０の一方から他方に対してデジタル放送の画像情報または文字情報を転送して表示させるようにしても良い。
【００６７】
すなわち、アンテナの種類に応じて、受信感度の良さが概ね予想できるので、受信感度がより良いと予想されるアンテナを使用している方で受信した画像情報と文字情報とを採用する。具体的には、複数種類のアンテナに対して優劣を付けた情報をテーブルとして保持しておき、車載機器３０および携帯型ＤＴＶビューア４０について確認したアンテナの種類をもとにテーブル情報を参照し、車載機器３０と携帯型ＤＴＶビューア４０のどちらの受信情報を採用するかを決定する。例えば、車載機器３０で車載用のフィルムアンテナを使用し、携帯型ＤＴＶビューア４０で内臓アンテナを使用していることが確認できた場合は、車載機器３０のチューナ部１１ａで受信される画像情報と文字情報とを採用する。
【００６８】
以上、第１および第２の実施形態について説明したが、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【００６９】
例えば、上記第１および第２の実施形態では、画面サイズが大きい方の第１の表示部１６に画像情報を表示させ、画面サイズが小さい方の第２の表示部２６に文字情報を表示させるようにしたが、この逆でも良い。例えば、文字情報がニュース番組の場合は、これを画面サイズが大きい第１の表示部１６で表示すると好ましいことがある。
【００７０】
そこで、例えばデジタル放送の受信信号中に付随情報として含まれている番組情報を参照し、文字情報がニュース番組であることを検出したときに、当該文字情報を第１の表示部１６に表示させ、画像情報を第２の表示部２６に表示させるようにしても良い。また、画像情報と文字情報とをどちらの表示部に表示させるかをユーザが図示しない操作部を操作して指示できるようにしても良い。
【００７１】
また、上記第１および第２の実施形態では、車載機器１０，３０が通信ホストで、携帯型ＤＴＶビューア２０，４０が通信スレーブとなる例について説明したが、この逆でも良い。
【００７２】
また、上記第１および第２の実施形態では、第１の通信機器として車載機器１０，３０を用い、第２の通信機器として携帯型ＤＴＶビューア２０，４０を用いる例について説明したが、これに限定されない。要は、表示部を持ち、有線または無線で他の機器と通信をすることが可能な機器であれば、第１の通信機器または第２の通信機器として用いることが可能である。ただし、少なくとも一方はデジタル放送受信機の機能を備えている必要がある。
【図面の簡単な説明】
【００７３】
【図１】第１の実施形態による放送情報表示システムの概略構成例を示す図である。
【図２】第１の実施形態による車載機器の内部構成例を示すブロック図である。
【図３】第１の実施形態による携帯型ＤＴＶビューアの内部構成例を示すブロック図である。
【図４】第１の実施形態による放送情報表示システムの動作例を示すフローチャートである。
【図５】第２の実施形態による放送情報表示システムの概略構成例を示す図である。
【図６】第２の実施形態による車載機器の内部構成例を示すブロック図である。
【図７】第２の実施形態による携帯型ＤＴＶビューアの内部構成例を示すブロック図である。
【図８】第２の実施形態による放送情報表示システムの動作例を示すフローチャートである。
【符号の説明】
【００７４】
１０，３０  車載機器（第１の通信機器）
２０，４０  携帯型ＤＴＶビューア（第２の通信機器）
１１，２１  デジタル放送受信機
１３，２３，３３，４３  制御部
１３ａ  チューナ有無確認部
１３ｂ，２３ｂ，３３ｂ，４３ｂ  表示制御部
１６  第１の表示部
１７，２７  通信部
２６  第２の表示部
３３ａ  受信感度確認部
【図１】
2008099030.tif 000003
【図２】
2008099030.tif 000004
【図３】
2008099030.tif 000005
【図４】
2008099030.tif 000006
【図５】
2008099030.tif 000007
【図６】
2008099030.tif 000008
【図７】
2008099030.tif 000009
【図８】
2008099030.tif 000010